(57)【要約】【課題】テレビジョン受像機において、ユーザによる出力希望言語の設定操作、及び省エネモード動作状態の設定操作の手間を軽減させる。【解決手段】（ａ）に示すように、初期設定として音声信号に「英語」が選択され、ＥＳ動作状態に「ＹＥＳ」が選択されているときに決定キーが操作されると、出力希望言語に「英語」が設定され、ＥＳ動作状態に「オン状態」が設定される。（ａ）に示す状態で右キーが操作されると、（ｂ）に示すように、ＥＳ動作状態に「ＮＯ」が選択され、この状態で決定キー２４が操作されると、出力希望言語に「英語」が設定され、ＥＳ動作状態に「オフ状態」が設定される。また、（ａ）に示す状態で、下キーが操作されると、（ｃ）に示すように音声信号に「スペイン語」が選択され、この状態で決定キーが操作されると、出力希望言語に「スペイン語」が設定され、ＥＳ動作状態に「オン状態」が設定される。【選択図】図５
2010041134.tif 000002
【特許請求の範囲】
【請求項１】
映像信号、及び音声信号を含むテレビジョン放送信号を受信する受信手段と、
前記受信手段によって受信された映像信号に基づく映像を表示する表示手段と、
前記受信手段によって受信された音声信号に含まれる複数の種類の音声信号の中からユーザによって設定された音声出力を希望する言語（以下、出力希望言語）の音声信号を抽出する音声抽出手段と、
前記音声抽出手段によって抽出された音声信号に基づく音声を出力する音声出力手段と、
ユーザにより操作され、所定の操作指示を行うための操作手段と、
複数の種類の言語の音声信号の中から所望の言語の音声信号を選択するようにユーザに促すと共に、選択された音声信号の言語を前記出力希望言語として設定するための出力希望言語選択設定画面を前記表示手段に表示させる出力希望言語選択設定画面表示制御手段と、
動作状態のオン状態、及びオフ状態を有し、動作状態がオン状態のとき、消費電力を低減させるように装置を動作させる省エネモード動作手段と、
前記省エネモード動作手段のオン／オフ状態のうちのいずれかの動作状態を選択するようにユーザに促すと共に、選択された動作状態を、前記省エネモード動作手段の動作状態（以下、省エネモード動作状態）として設定するための省エネモード動作状態選択設定画面を前記表示手段に表示させる省エネモード動作状態選択設定画面表示制御手段とを備えるテレビジョン受像機において、
前記操作手段は、複数の種類の言語の音声信号の中から所望の言語の音声信号を選択するための音声言語選択キーと、前記省エネモード動作手段のオン／オフ状態のうちのいずれかの動作状態を選択するための省エネモード動作状態選択キーと、前記音声言語選択キーを用いて選択された音声信号の言語を前記出力希望言語として設定するための操作、及び前記省エネモード動作状態選択キーを用いて選択された動作状態を前記省エネモード動作状態として設定するための操作とに用いられる設定キーとを有し、
ユーザによる前記出力希望言語、及び前記省エネモード動作状態の設定がされるとき、
前記出力希望言語選択設定画面表示制御手段と、前記省エネモード動作状態選択設定画面表示制御手段とが、前記表示手段の１画面上に、前記出力希望言語選択設定画面と、前記省エネモード動作状態選択設定画面とを同時に表示し、
ユーザによって、前記音声言語選択キーを用いた所望の言語の音声信号の選択操作と、前記省エネモード動作状態選択キーを用いた前記省エネモード動作手段のオン／オフ状態のうちのいずれかの動作状態の選択操作とが行われた後に、前記設定キーが操作されると、前記出力希望言語の設定、及び前記省エネモード動作状態の設定が同時に行われることを特徴とするテレビジョン受像機。
【請求項２】
前記出力希望言語選択設定画面においては、初期設定として予め所定の言語の音声信号が選択されており、前記省エネモード動作状態選択設定画面においては、初期設定として予めオン状態、又はオフ状態のうちのいずれかの動作状態が選択されていることを特徴とする請求項１に記載のテレビジョン受像機。
【発明の詳細な説明】
【技術分野】
【０００１】
本発明は、テレビジョン受像機に関し、特にユーザによる音声出力を希望する言語の設定操作や、省エネモードの動作状態の設定操作の手間を軽減させることができるテレビジョン受像機に関する。
【背景技術】
【０００２】
近年、複数の種類の言語の音声信号を受信し、この中からユーザが出力を希望する言語（以下、出力希望言語という）の音声信号を抽出して、この音声信号に基づく音声を出力することができるテレビジョン受像機（以下、ＴＶ受像機）が知られている。この種のＴＶ受像機は、初回起動時に、ユーザによって予め出力希望言語が設定される。
【０００３】
また、近年、省エネモードとして機器を動作させるＥｎｅｒｇｙ  Ｓａｖｉｎｇ機能を有するＴＶ受像機が普及している。Ｅｎｅｒｇｙ  Ｓａｖｉｎｇ機能は、ＴＶ受像機の消費電力をできる限り節約する機能であり、この機能がオン状態のとき、例えば、ＴＶ受像機は、画面の明るさを標準よりも低めの明るさにして消費電力を下げることができる。この種のＴＶ受像機は、初回起動時に、Ｅｎｅｒｇｙ  Ｓａｖｉｎｇ機能のオン／オフ状態の設定がされる。
【０００４】
上記ＴＶ受像機の出力希望言語の設定操作、及びＥｎｅｒｇｙ  Ｓａｖｉｎｇ機能の設定操作の手順について説明する。例えば、図６に示すように、ＴＶ受像機の初回起動時には、ＴＶ受像機のディスプレイ１００上に出力希望言語を選択するための出力希望言語選択設定画面１０１が表示され、ユーザがリモコン等を操作してカーソルＣ１を移動させることにより所望の言語を選択する。そして、選択された言語を出力希望言語として設定する。
【０００５】
その後、ディスプレイ１００上の画面が切替り、図７に示すように、ディスプレイ１００上には、Ｅｎｅｒｇｙ  Ｓａｖｉｎｇ機能の動作状態を設定するための動作状態選択設定画面１０２が表示され、ユーザがリモコン等を操作して、カーソルＣ２を移動させることにより、所望の動作状態を選択する。そして、選択された所望の動作状態をＥｎｅｒｇｙ  Ｓａｖｉｎｇ機能の動作状態として設定する。このように、この種のＴＶ受像機では、出力希望言語の設定操作の後、さらにＥｎｅｒｇｙ  Ｓａｖｉｎｇ機能の動作状態の設定操作を行う必要があるため、ユーザによる操作が煩雑である。
【０００６】
ところで、特許文献１及び２には、ユーザによって所望の言語が選択されると、選択された言語を音声出力に用いる言語として自動的に設定するＴＶ受像機が開示されている。また、特許文献３には、言語の選択操作と、音声出力形式の設定操作を単一の操作により行うことができるＴＶ受像機が開示されている。しかし、これらのＴＶ受像機では、上記問題を解決できない。
【特許文献１】特開２００８−５４１８８号公報
【特許文献２】特開平１１−９８４３４号公報
【特許文献３】特開２００２−３５４３６８号公報
【発明の開示】
【発明が解決しようとする課題】
【０００７】
本発明は、上述した問題点を解決するためになされたものであり、ユーザによる出力希望言語の設定操作、及び省エネモード動作状態の設定操作の手間を軽減させることができるテレビジョン受像機を提供することを目的とする。
【課題を解決するための手段】
【０００８】
上記目的を達成するために請求項１の発明は、映像信号、及び音声信号を含むテレビジョン放送信号を受信する受信手段と、前記受信手段によって受信された映像信号に基づく映像を表示する表示手段と、前記受信手段によって受信された音声信号に含まれる複数の種類の音声信号の中からユーザによって設定された音声出力を希望する言語（以下、出力希望言語）の音声信号を抽出する音声抽出手段と、前記音声抽出手段によって抽出された音声信号に基づく音声を出力する音声出力手段と、ユーザにより操作され、所定の操作指示を行うための操作手段と、複数の種類の言語の音声信号の中から所望の言語の音声信号を選択するようにユーザに促すと共に、選択された音声信号の言語を前記出力希望言語として設定するための出力希望言語選択設定画面を前記表示手段に表示させる出力希望言語選択設定画面表示制御手段と、動作状態のオン状態、及びオフ状態を有し、動作状態がオン状態のとき、消費電力を低減させるように装置を動作させる省エネモード動作手段と、前記省エネモード動作手段のオン／オフ状態のうちのいずれかの動作状態を選択するようにユーザに促すと共に、選択された動作状態を、前記省エネモード動作手段の動作状態（以下、省エネモード動作状態）として設定するための省エネモード動作状態選択設定画面を前記表示手段に表示させる省エネモード動作状態選択設定画面表示制御手段とを備えるテレビジョン受像機において、前記操作手段は、複数の種類の言語の音声信号の中から所望の言語の音声信号を選択するための音声言語選択キーと、前記省エネモード動作手段のオン／オフ状態のうちのいずれかの動作状態を選択するための省エネモード動作状態選択キーと、前記音声言語選択キーを用いて選択された音声信号の言語を前記出力希望言語として設定するための操作、及び前記省エネモード動作状態選択キーを用いて選択された動作状態を前記省エネモード動作状態として設定するための操作とに用いられる設定キーとを有し、ユーザによる前記出力希望言語、及び前記省エネモード動作状態の設定がされるとき、前記出力希望言語選択設定画面表示制御手段と、前記省エネモード動作状態選択設定画面表示制御手段とが、前記表示手段の１画面上に、前記出力希望言語選択設定画面と、前記省エネモード動作状態選択設定画面とを同時に表示し、ユーザによって、前記音声言語選択キーを用いた所望の言語の音声信号の選択操作と、前記省エネモード動作状態選択キーを用いた前記省エネモード動作手段のオン／オフ状態のうちのいずれかの動作状態の選択操作とが行われた後に、前記設定キーが操作されると、前記出力希望言語の設定、及び前記省エネモード動作状態の設定が同時に行われるものである。
【０００９】
請求項２に記載の発明は、請求項１に記載のテレビジョン受像機において、前記出力希望言語選択設定画面においては、初期設定として予め所定の言語の音声信号が選択されており、前記省エネモード動作状態選択設定画面においては、初期設定として予めオン状態、又はオフ状態のうちのいずれかの動作状態が選択されているものである。
【発明の効果】
【００１０】
請求項１の発明によれば、ユーザによる出力希望言語、及び省エネモード動作状態の設定がされるとき、表示手段の１画面上に、出力希望言語選択設定画面と、省エネモード動作状態選択設定画面とが同時に表示される。そのため、画面が切替ること無しに、ユーザは、出力希望言語の設定操作、及び省エネモード動作状態の設定操作を行うことができるので、ユーザにとって使い勝手が良い。
【００１１】
また、ユーザによって設定キーが操作されると、出力希望言語の設定、及び省エネモード動作状態の設定が同時に行われるので、ユーザによる操作の手間を軽減させることができる。
【００１２】
請求項２の発明によれば、出力希望言語選択設定画面には、初期設定として予め所定の言語の音声信号が選択されており、省エネモード動作状態選択設定画面には、初期設定として予めオン状態又はオフ状態のうちのいずれかの動作状態が選択されている。そのため、予め選択されている言語の音声信号や省エネモード動作状態が、ユーザの所望の選択であったとき、ユーザは、選択操作を行う必要がない。従って、ユーザによる操作の手間を軽減させることができる。
【発明を実施するための最良の形態】
【００１３】
本発明の一実施形態に係るテレビジョン（以下、ＴＶ）受像機について、図１、及び図２を参照して説明する。図１は、リモコン（操作手段）２により操作されるＴＶ受像機１の外観を示し、図２は、ＴＶ受像機１の内部構成を示すブロック図である。
【００１４】
ＴＶ受像機１は、装置各部の制御を行うための制御用マイコン（制御手段）１０と、映像信号、及び音声信号が含まれるデジタルＴＶ放送信号を受信するデジタルチューナ１１（受信手段）と、ＴＶ番組の映像を表示するディスプレイ（表示手段）１２とを備える。
【００１５】
また、ＴＶ受像機１は、ＴＶ番組の音声を出力するスピーカ（音声出力手段）１３と、装置本体とは別体となるリモコン２から送信された操作信号を受信する受信部１４と、制御用マイコン１０を動作させるためのプログラム１５ａ等が記憶されたメモリ１５とをさらに備える。
【００１６】
デジタルチューナ１１は、受信したデジタルＴＶ放送信号から映像信号や音声信号をデコードするデコーダ１１ａを有する。デジタルチューナ１１によって受信された音声信号には、例えば、日本語と英語等の複数の言語の音声信号が多重化されて含まれることがある。デコーダ１１ａによってデコードされた映像信号、及び音声信号は制御用マイコン１０に出力される。
【００１７】
ディスプレイ１２は、制御用マイコン１０から出力された映像信号に基づく映像や各種メッセージを表示する。スピーカ１３は、制御用マイコン１０から出力された音声信号に基づく音声を出力する。
【００１８】
制御用マイコン１０は、複数の種類の音声信号の中からユーザによって設定された音声出力を希望する言語（以下、出力希望言語）の音声信号を抽出する音声抽出部（音声抽出手段）１０ａと、装置の動作の消費電力を低減させるＥｎｅｒｇｙ  Ｓａｖｉｎｇ（以下、ＥＳという）動作部（省エネモード動作手段）１０ｂとを有する。また、制御用マイコン１０は、出力希望言語選択設定画面表示制御部（出力希望言語選択設定画面表示制御手段）１０ｃと、ＥＳ動作状態選択設定画面表示制御部（Ｅｎｅｒｇｙ  Ｓａｖｉｎｇ動作状態選択設定画面表示制御手段）１０ｄと、映像信号、及び音声信号を出力する出力部１０ｅとをさらに有する。
【００１９】
音声抽出部１０ａは、デジタルチューナ１１のデコーダ１１ａによってデコードされた音声信号に複数の種類の言語の音声信号が含まれるとき、複数の種類の音声信号の中から出力希望言語の音声信号を抽出するものである。出力希望言語は、ユーザによって予め設定されている。
【００２０】
ＥＳ動作部１０ｂは、動作状態のオン状態、及びオフ状態を有し、動作状態がオン状態のとき、消費電力を低減させるようにＴＶ受像機１を動作させるものである。ＥＳ動作部１０ｂの動作状態は、ユーザによって予め設定されている。ＥＳ動作部１０ｂは、動作状態がオン状態のとき、例えば、ディスプレイ１２の画面の明るさを標準よりも低めにすることにより、ディスプレイ１２の消費電力を低下させる。
【００２１】
出力希望言語選択設定画面表示制御部１０ｃは、ユーザが複数の種類の言語の音声信号の中から所望の言語の音声信号を選択するように促すと共に、選択された音声信号の言語を出力希望言語として設定するための出力希望言語選択設定画面をディスプレイ１２に表示させる。出力希望言語選択設定画面表示制御部１０ｃによってディスプレイ１２上に表示された出力希望言語選択設定画面では、初期設定として予め所定の言語の音声信号が選択されている。
【００２２】
ＥＳ動作状態選択設定画面表示制御部１０ｄは、ユーザが動作状態のオン／オフ状態を選択するように促すと共に、選択された動作状態を設定するためのＥＳ動作状態選択設定画面をディスプレイ１２に表示するものである。ＥＳ動作状態選択設定画面表示制御部１０ｄによってディスプレイ１２上に表示されたＥＳ動作状態選択設定画面では、初期設定として予めオン状態、又はオフ状態のうちのいずれかの動作状態が選択されている。
【００２３】
出力希望言語選択設定画面表示制御部１０ｃと、ＥＳ動作状態選択設定画面表示制御部１０ｄは、ユーザによる出力希望言語、及びＥＳ動作状態の設定がされるとき、ディスプレイ１２の１画面上に、出力希望言語選択設定画面と、省エネモード動作状態選択設定画面とを同時に表示する。
【００２４】
出力部１０ｅは、映像信号をディスプレイ１２に出力すると共に、音声信号をスピーカ１３に出力する。また、出力部１０ｅは、音声抽出部１０ａによって抽出された音声信号があるとき、抽出された音声信号をスピーカ１３に出力する。
【００２５】
メモリ１５には、制御用マイコン１０を動作させるプログラム１５ａと、ユーザによって設定された出力希望言語１５ｂと、ユーザによって設定されたＥＳ動作状態（Ｅｎｅｒｇｙ  Ｓａｖｉｎｇ動作状態）１５ｃと、初回起動フラグ情報１５ｄとが記憶されている。
【００２６】
出力希望言語１５ｂには、ユーザによって設定された出力希望言語の情報が記憶される。出力希望言語１５ｂに記憶された情報は、音声抽出部１０ａによって参照される。
【００２７】
ＥＳ動作状態１５ｃには、ユーザによって設定されたＥＳ動作状態の情報が記憶される。ＥＳ動作状態１５ｃに記憶されたＥＳ動作状態の情報は、ＥＳ動作部１０ｂによって参照される。
【００２８】
初回起動フラグ情報１５ｄは、ＴＶ受像機１の起動が、初回起動であるか否かを判断するためのフラグ情報である。例えば、フラグ情報１５ｄに「１」という情報が記憶されていた場合、すでに初回起動された後であることを示し、フラグ情報１５ｄに「０」という情報が記憶されていた場合、未だ初回起動されていないことを示す。
【００２９】
次に、リモコン２の構成について、図３を参照して説明する。図３は、リモコン２の上面を示す。リモコン２は、ユーザにより操作され、ＴＶ受像機１に対して所定の操作指示を行うためのものである。
【００３０】
リモコン２は、所望の文字等の値の入力や、各種項目の選択を行うための複数のキーが配設されており、図２に示すように、「０」乃至「９」の１０個の数字に対応する「０」〜「９」までの数字キー２１ａ〜２１ｊと、入力した文字や数字を消去するクリアキー２２とを有する。
【００３１】
また、リモコン２は、上下左右の各方向に操作可能な十字キー２３（２３ａ〜２３ｄの総称；請求項における音声言語選択キー、省エネモード動作状態選択キー）と、各種入力を確定するための決定キー２４（設定キー）とをさらに有する。また、リモコン２は、スピーカ１３から出力する音量値の調節を行うための音量調節キー２５（２５ａ、２５ｂの総称）と、ＴＶ受像機１に対して操作信号を送信するための送信部２６とをさらに有する。
【００３２】
次に、ＴＶ受像機１の起動時の処理について、図４に示すフローチャートを参照して説明する。まず、ＴＶ受像機１が起動されると、制御用マイコン１０は、メモリ１５の初回起動フラグ情報１５ｄを参照して、この起動が初回起動であるか否かを判断する（Ｓ１）。
【００３３】
そして、上記Ｓ１の判断の結果、初回起動時ではない場合（Ｓ２でＮＯ）、ＴＶ番組の映像がディスプレイ１２に表示されると共に、ＴＶ番組の音声がスピーカ１３から出力される（Ｓ５）。
【００３４】
一方、上記Ｓ１の判断の結果、初回起動時である場合（Ｓ２でＹＥＳ）、制御用マイコン１０は、出力希望言語選択設定画面表示制御部１０ｃ、及びＥＳ動作状態選択設定画面表示制御部１０ｄを用いて出力希望言語選択設定画面、及びＥＳ動作状態選択設定画面をディスプレイ１２の１画面上に同時に表示する（Ｓ３）。そして、ユーザによって所望の出力希望言語の設定操作、及びＥＳ動作状態の設定操作がなされた後（Ｓ４）、上記Ｓ５の処理を行う。
【００３５】
次に、上記Ｓ４におけるユーザによる出力希望言語、及びＥＳ動作状態の設定操作について、図５を参照して説明する。図５（ａ）は、ディスプレイ１２上に表示された初期状態の出力希望言語選択設定画面３ａ、及びＥＳ動作状態選択設定画面３ｂを含む画面（以下、選択設定画面という）３を示す。図５（ｂ）（ｃ）は、いずれも所定の操作後の選択設定画面３を示す。また、図５（ａ）〜（ｃ）中の符号Ｃはカーソルを示し、カーソルＣは、選択されている言語の音声信号を示す。また、選択されているＥＳ動作状態は、下線付きで示す。
【００３６】
ここでは、ユーザが上下キー２３ａ、２３ｂを操作することにより所望の音声信号を選択するものとする。また、ユーザが左右キー２３ｃ、２３ｄを操作することにより所望のＥＳ動作状態を選択するものとする。また、ユーザが決定キー２４を操作することにより、上下キー２３ａ、２３ｂを用いて選択された音声信号の言語を出力希望言語として設定すると共に、左右キー２３ｃ、２３ｄを用いて選択された動作状態をＥＳ動作状態として設定するものとする。
【００３７】
また、デジタルチューナ１１によって受信された音声信号には、英語、スペイン語、及びフランス語の３種類の音声信号が含まれるものとし、ユーザは英語、スペイン語、及びフランス語の中から任意の音声信号を選択するものとする。また、ＥＳ動作状態は、「ＹＥＳ」が設定されたとき「オン状態」を示し、「ＮＯ」が設定されたとき「オフ状態」を示すものとする。
【００３８】
図５（ａ）に示すように、選択設定画面３は、初期状態のとき、初期設定として所望の音声信号に「英語」が選択され、ＥＳ動作状態に「ＹＥＳ」が選択されている。このとき、ユーザによって決定キー２４が操作されると、出力希望言語として「英語」が設定されると共に、ＥＳ動作状態として「オン状態」が設定される。すなわち、制御用マイコン１０が、メモリ１５の出力希望言語１５ｂに出力希望言語が「英語」である旨の情報を記憶し、ＥＳ動作状態１５ｃにＥＳ動作状態が「オン状態」である旨の情報を記憶する。
【００３９】
また、図５（ａ）に示す状態のときに、ユーザによって右キー２３ｃが操作されると、図５（ｂ）に示すように、ＥＳ動作状態に「ＮＯ」が選択される。このとき、ユーザによって決定キー２４が操作されると、出力希望言語として「英語」が設定されると共に、ＥＳ動作状態として「オフ状態」が設定される。すなわち、制御用マイコン１０が、メモリ１５の出力希望言語１５ｂに出力希望言語が「英語」である旨の情報を記憶し、ＥＳ動作状態１５ｃにＥＳ動作状態が「オフ状態」である旨の情報を記憶する。
【００４０】
また、図５（ａ）に示す状態のときに、ユーザによって、下キー２３ｂが操作されると、図５（ｃ）に示すように、カーソルＣが１つ下に移動することにより所望の音声信号として「スペイン語」が選択される。このとき、ユーザによって決定キー２４が操作されると、出力希望言語として「スペイン語」が設定されると共に、ＥＳ動作状態として「オン状態」が設定される。すなわち、制御用マイコン１０が、メモリ１５の出力希望言語１５ｂに出力希望言語が「スペイン語」である旨の情報を記憶し、ＥＳ動作状態１５ｃにＥＳ動作状態が「オン状態」である旨の情報を記憶する。
【００４１】
上述したように、本実施形態に係るＴＶ受像機１においては、ユーザによる出力希望言語、及びＥＳ動作状態の設定がされるとき、ディスプレイ１２の１画面上に、出力希望言語選択設定画面３ａと、ＥＳ動作状態選択設定画面３ｂとが同時に表示される。そのため、画面が切替ること無しに、出力希望言語の設定、及びＥＳ動作状態の設定を行うことができるので、ユーザにとって使い勝手が良い。
【００４２】
また、ユーザによって、決定キー２４が操作されると、出力希望言語の設定、及びＥＳ動作状態の設定が同時に行われるので、ユーザによる操作の手間を軽減させることができる。
【００４３】
また、出力希望言語選択設定画面３ａには、初期設定として予め所定の言語の音声信号が選択されており、ＥＳ動作状態選択設定画面３ｂには、初期設定として予めオン状態又はオフ状態のうちのいずれかの動作状態が選択されている。そのため、予め選択されている言語の音声信号やＥＳ動作状態が、ユーザの所望の選択であったとき、ユーザは選択操作を行う必要がない。従って、ユーザによる操作の手間を軽減させることができる。
【００４４】
なお、本発明は、上記実施形態の構成に限られず、発明の趣旨を変更しない範囲で種々の変形が可能である。例えば、ユーザが左右キー２３ｃ、２３ｄを操作することにより所望の音声信号を選択し、上下キー２３ａ、２３ｂを用いて所望のＥＳ動作状態を選択するものであってもよい。
【図面の簡単な説明】
【００４５】
【図１】本発明の一実施形態に係るリモコン装置を含むＴＶ受像機との斜視図。
【図２】上記ＴＶ受像機の概略構成を示すブロック図。
【図３】上記リモコン装置の平面図。
【図４】上記ＴＶ受像機における起動処理の手順を示すフローチャート。
【図５】（ａ）（ｂ）（ｃ）は、出力希望言語選択設定画面及びＥＳ動作状態選択設定画面を説明する図。
【図６】従来のＴＶ受像機における出力希望言語の選択設定画面を示す図。
【図７】従来のＴＶ受像機におけるＥＳ動作状態の選択設定画面を示す図。
【符号の説明】
【００４６】
１  ＴＶ受像機
２  リモコン（操作手段）
１１  デジタルチューナ（受信手段）
１２  ディスプレイ（表示手段）
１３  スピーカ（音声出力手段）
２４  決定キー（設定キー）
３ａ  出力希望言語選択設定画面
３ｂ  ＥＳ動作状態選択設定画面
１０ａ  音声抽出部（音声抽出手段）
１０ｂ  ＥＳ動作部
１０ｃ  出力希望言語選択設定画面表示制御部（出力希望言語選択設定画面表示制御手段）
１０ｄ  ＥＳ動作状態選択設定画面表示制御部（省エネモード動作状態選択設定画面表示制御手段）
２３ａ  上キー（音声言語選択キー）
２３ｂ  下キー（音声言語選択キー）
２３ｃ  左キー（省エネモード動作状態選択キー）
２３ｄ  右キー（省エネモード動作状態選択キー
【図１】
2010041134.tif 000003
【図２】
2010041134.tif 000004
【図３】
2010041134.tif 000005
【図４】
2010041134.tif 000006
【図５】
2010041134.tif 000007
【図７】
2010041134.tif 000008
【図６】
2010041134.tif 000009